(57)【要約】【課題】オペレータが作業をする「やる気」の減少を抑えて、適切なスループットでオペレータに作業をさせることができる計量包装システムを提供する。【解決手段】計量包装システムは、複数の音楽データを記憶する記憶部と、計量包装システムの目標スループットを決定するスループット決定手段（Ｓ１１）と、スループット決定手段が決定した目標スループットで処理装置を動作させる動作制御手段（Ｓ１２）と、記憶部に記憶された複数の音楽データのうち、スループット決定手段が決定した目標スループットに対応する音楽データを再生する音楽再生手段（Ｓ１５＆Ｓ１６）とを備える。【選択図】図６
2019184384.tif 000002
【特許請求の範囲】
【請求項１】
被計量物を計量する計量工程、
前記計量工程で計量された前記被計量物を小袋に包装する包装工程、
及び前記包装工程で包装された複数の前記小袋を箱に詰める箱詰め工程のうち、一部を処理装置が自動で実行し、他の一部をオペレータが手動で実行する半自動の計量包装システムであって、
複数の音楽データを記憶する記憶部と、
前記計量包装システムの目標スループットを決定するスループット決定手段と、
前記スループット決定手段が決定した前記目標スループットで、前記処理装置を動作させる動作制御手段と、
前記記憶部に記憶された複数の前記音楽データのうち、前記スループット決定手段が決定した前記目標スループットに対応する前記音楽データを再生する音楽再生手段とを備える計量包装システム。
【請求項２】
前記記憶部は、テンポの異なる複数の前記音楽データを記憶し、
前記音楽再生手段は、前記目標スループットが速いほど、テンポの速い前記音楽データを再生する請求項１に記載の計量包装システム。
【請求項３】
前記記憶部は、複数の前記音楽データそれぞれを、前記オペレータの属性に対応付けて記憶し、
前記音楽再生手段は、作業中の前記オペレータの属性に対応する前記音楽データを再生する請求項１または２に記載の計量包装システム。
【請求項４】
前記属性は、前記オペレータの国籍であり、  
前記音楽再生手段は、作業中の前記オペレータの国籍に対応する前記音楽データを再生する請求項３に記載の計量包装システム。
【請求項５】
前記属性は、前記オペレータの年齢であり、
前記音楽再生手段は、作業中の前記オペレータの年齢に対応する前記音楽データを再生する請求項３または４に記載の計量包装システム。
【請求項６】
前記処理装置は、
前記計量工程を自動で実行する計量装置と、
前記包装工程を自動で実行する包装装置とを備え、
前記箱詰め工程は、前記オペレータによって手動で実行される請求項１から５のいずれかに記載の計量包装システム。
【請求項７】
前記処理装置は、前記箱詰め工程で複数の前記小袋が詰められた前記箱を自動で封函する封函装置をさらに備え、
前記計量包装システムは、
前記箱詰め工程より上流で計測した第１スループットを取得する第１取得手段と、
前記箱詰め工程より下流で計測した第２スループットを取得する第２取得手段とをさらに備え、
前記音楽再生手段は、前記第１スループット及び前記第２スループットの差が大きいほど、テンポの速い前記音楽データを再生する請求項６に記載の計量包装システム。
【請求項８】
前記処理装置は、前記封函装置が封函した前記箱の重量が閾値範囲に収まるか否かを自動で検査する検査装置をさらに備え、
前記計量包装システムは、重量が前記閾値範囲外の前記箱の割合を示すエラー率を取得する第３取得手段をさらに備え、
音楽再生手段は、前記第３取得手段で取得した前記エラー率が高いほど、テンポの遅い前記音楽データを再生する請求項７に記載の計量包装システム。
【請求項９】
被計量物を計量する計量工程、
前記計量工程で計量された前記被計量物を小袋に包装する包装工程、
及び前記包装工程で包装された複数の前記小袋を箱に詰める箱詰め工程のうち、一部を処理装置が自動で実行し、他の一部をオペレータが手動で実行する半自動の計量包装システムであって、
前記計量包装システムに対する第１作業の中断を伴う第２作業を報知する音声データ及び前記第２作業の開始時刻を示す時刻情報を、前記オペレータの属性に対応付けて記憶する記憶部と、
前記処理装置を動作させる動作制御手段と、
前記記憶部に記憶された前記音声データ及び前記時刻情報のうち、前記第１作業中の前記オペレータの属性に対応する前記音声データ及び前記時刻情報を決定する決定手段と、
前記決定手段が決定した前記時刻情報で示される開始時刻が到来したことに応じて、前記決定手段が決定した前記音声データを再生する音声再生手段とを備える計量包装システム。
【請求項１０】
前記動作制御手段は、前記第２作業を実行する前記オペレータの数が多いほど、前記音声データの再生時間中に、前記処理装置のスループットを低下させる請求項９に記載の計量包装システム。
【請求項１１】
前記動作制御手段は、前記第２作業を実行する前記オペレータの数が多いほど、前記音声データの再生時間外に、前記処理装置のスループットを上昇させる請求項１０に記載の計量包装システム。
【請求項１２】
前記処理装置は、
前記計量工程を自動で実行する計量装置と、
前記包装工程を自動で実行する包装装置とを備え、
前記第１作業は、前記箱詰め工程である請求項９から１１のいずれかに記載の計量包装システム。
【請求項１３】
前記オペレータの属性は、当該オペレータが信じる宗教であり、
前記第２作業は、前記オペレータが信じる宗教上の儀式である請求項９から１２のいずれかに記載の計量包装システム。
【発明の詳細な説明】
【技術分野】
【０００１】
本発明は、被計量物を計量して包装する計量包装システムに関するものである。
【背景技術】
【０００２】
特許文献１には、物品を計量し、包装し、検査し、箱詰めする生産ラインが開示されている。このような生産ラインのなかには、自動化が困難或いは自動化に適さない作業をオペレータが手動で行う半自動式の生産ラインが存在する。生産ライン上でオペレータが行う作業としては、例えば、計量装置への物品の供給、計量された物品の排出、物品の箱詰めなどが挙げられる。
【先行技術文献】
【特許文献】
【０００３】
【特許文献１】特開２０１１−０９０４４６号公報
【発明の概要】
【発明が解決しようとする課題】
【０００４】
生産ライン上のオペレータの作業は、高度に細分化されている。そのため、単純な作業を長時間に亘って延々と繰り返すと、オペレータが退屈さを感じ、作業をする「士気」が段階的に減少してゆく可能性がある。施設内に響く機械の駆動音や警告ブザーが、それに拍車をかけることも考えられる。
【０００５】
オペレータの「士気」が減少すると、作業効率が低下したり、集中力の低下によってミスが増加する原因となり得る。そのため、オペレータの作業がボトルネックとなって、生産ライン全体としてのスループットが落ちてしまうという課題がある。
【０００６】
本発明は、上気の事情に鑑みてなされたものであり、作業の一部をオペレータが手動で行う半自動の計量包装システムにおいて、オペレータの作業への「士気」を適切に維持し、適切なスループットでオペレータに作業をさせることができる技術を提供することにある。
【課題を解決するための手段】
【０００７】
本発明の一形態に係る計量包装システムは、被計量物を計量する計量工程、前記計量工程で計量された前記被計量物を小袋に包装する包装工程、及び前記包装工程で包装された複数の前記小袋を箱に詰める箱詰め工程のうち、一部を処理装置が自動で実行し、他の一部をオペレータが手動で実行する半自動のシステムである。前記計量包装システムは、複数の音楽データを記憶する記憶部と、前記計量包装システムの目標スループットを決定するスループット決定手段と、前記スループット決定手段が決定した前記目標スループットで、前記処理装置を動作させる動作制御手段と、前記記憶部に記憶された複数の前記音楽データのうち、前記スループット決定手段が決定した前記目標スループットに対応する前記音楽データを再生する音楽再生手段とを備える。
【０００８】
上記構成によれば、計量包装システムの目標スループットに対応する音楽を、作業中のオペレータに聴かせることができる。これにより、単純作業による「士気」を適切に維持することができるので、オペレータの作業がボトルネックになってシステム全体のスループットが低下することを抑制できる。
【０００９】
好ましくは、前記記憶部は、テンポの異なる複数の前記音楽データを記憶する。前記音楽再生手段は、前記目標スループットが速いほど、テンポの速い前記音楽データを再生してもよい。
【００１０】
上記構成によれば、再生されている音楽のテンポに合わせて手を動かせば、適切なスループットを実現することができる。これにより、オペレータは、目標スループットを維持するプレッシャーを感じずに作業することができる。その結果、焦りによる作業ミスを減らす効果も期待できる。
【００１１】
好ましくは、前記記憶部は、複数の前記音楽データそれぞれを、前記オペレータの属性に対応付けて記憶する。前記音楽再生手段は、作業中の前記オペレータの属性に対応する前記音楽データを再生してもよい。
【００１２】
一例として、前記属性は、前記オペレータの国籍である。前記音楽再生手段は、作業中の前記オペレータの国籍に対応する前記音楽データを再生してもよい。
【００１３】
他の例として、前記属性は、前記オペレータの年齢である。前記音楽再生手段は、作業中の前記オペレータの年齢に対応する前記音楽データを再生してもよい。
【００１４】
上記の各構成によれば、作業中のオペレータにとって心地の良い音楽を再生できるので、オペレータの「癒やし」や「楽しみ」にもなる。なお、「国籍に対応する音楽」とは、例えば、その国の伝統音楽、その国のアーティストが演奏する音楽、その国の言語で歌われている音楽などである。また、「年齢に対応する音楽」とは、例えば、４０代は演歌、３０代はフォークソング、２０代はポップスなど、その年代の多くの人が好むジャンルの音楽である。
【００１５】
例えば、前記処理装置は、前記計量工程を自動で実行する計量装置と、前記包装工程を自動で実行する包装装置とを備える。前記箱詰め工程は、前記オペレータによって手動で実行されてもよい。
【００１６】
好ましくは、前記処理装置は、前記箱詰め工程で複数の前記小袋が詰められた前記箱を自動で封函する封函装置をさらに備える。前記計量包装システムは、前記箱詰め工程より上流で計測した第１スループットを取得する第１取得手段と、前記箱詰め工程より下流で計測した第２スループットを取得する第２取得手段とをさらに備える。前記音楽再生手段は、前記第１スループット及び前記第２スループットの差が大きいほど、テンポの速い前記音楽データを再生してもよい。
【００１７】
箱詰め工程より上流の第１スループットと箱詰め工程より下流の第２スループットの差が大きいほど、箱詰め工程におけるオペレータのスループットが遅いと判断できる。そこで、オペレータのスループットが遅いほどテンポの速い音楽データを再生することによって、オペレータの作業に楽しみを与えることができ、また、オペレータの士気を適切に向上させ、その結果、自然にスループットを向上させることができる。
【００１８】
さらに好ましくは、前記処理装置は、前記封函装置が封函した前記箱の重量が閾値範囲に収まるか否かを自動で検査する検査装置をさらに備える。前記計量包装システムは、重量が前記閾値範囲外の前記箱の割合を示すエラー率を取得する第３取得手段をさらに備える。音楽再生手段は、前記第３取得手段で取得した前記エラー率が高いほど、テンポの遅い前記音楽データを再生してもよい。
【００１９】
エラー率が高いのは、箱詰め工程でオペレータが焦って作業ミスをしている可能性がある。そこで、エラー率が高いほどテンポの遅い音楽データを再生することによって、オペレータに落ち着いて作業をさせることができる。その結果、作業ミスが減少して計量包装システム全体のスループットが向上する。
【００２０】
本発明の他の形態に係る計量包装システムは、被計量物を計量する計量工程、前記計量工程で計量された前記被計量物を小袋に包装する包装工程、及び前記包装工程で包装された複数の前記小袋を箱に詰める箱詰め工程のうち、一部を処理装置が自動で実行し、他の一部をオペレータが手動で実行する半自動のシステムである。前記計量包装システムは、前記計量包装システムに対する第１作業の中断を伴う第２作業を報知する音声データ及び前記第２作業の開始時刻を示す時刻情報を、前記オペレータの属性に対応付けて記憶する記憶部と、前記処理装置を動作させる動作制御手段と、前記記憶部に記憶された前記音声データ及び前記時刻情報のうち、前記第１作業中の前記オペレータの属性に対応する前記音声データ及び前記時刻情報を決定する決定手段と、前記決定手段が決定した前記時刻情報で示される開始時刻が到来したことに応じて、前記決定手段が決定した前記音声データを再生する音声再生手段とを備える。
【００２１】
上記構成によれば、第２作業の開始時刻に音声データが再生されるので、オペレータは、第２作業の開始時刻までの間、第１作業に集中することができる。その結果、計量包装システム全体のスループットの低下を最小限に抑えることができる。
【００２２】
好ましくは、前記動作制御手段は、前記第２作業を実行する前記オペレータの数が多いほど、前記音声データの再生時間中に、前記処理装置のスループットを低下させてもよい。
【００２３】
第１作業を中断して第２作業を実行するオペレータの数が多いほど、オペレータの作業がボトルネックとなる。そこで、上記構成によれば、音声データの再生時間中は処理装置のスループットを低下させることによって、第２作業を実行しないオペレータの負担が大きくなり過ぎるのを防ぐことができる。
【００２４】
好ましくは、前記動作制御手段は、前記第２作業を実行する前記オペレータの数が多いほど、前記音声データの再生時間外に、前記処理装置のスループットを上昇させてもよい。
【００２５】
上記構成のように、音声データの再生時間外のスループットを上昇させることによって、音声データの再生時間中に低下したスループットを補完することができる。その結果、計量包装システムの１日のスループットを維持することができる。
【００２６】
例えば、前記処理装置は、前記計量工程を自動で実行する計量装置と、前記包装工程を自動で実行する包装装置とを備える。前記第１作業は、前記箱詰め工程でもよい。
【００２７】
好ましくは、前記オペレータの属性は、当該オペレータが信じる宗教である。前記第２作業は、前記オペレータが信じる宗教上の儀式でもよい。
【００２８】
宗教を信じる者にとって、宗教上の儀式（例えば、礼拝）は、心の平穏を保つのに重要なものである。そこで、上記構成のように、宗教上の儀式の開始時刻を報知することによって、開始時刻までは第１作業に集中することができる。
【発明の効果】
【００２９】
本発明によれば、計量包装システムの目標スループットに対応する音楽を、作業中のオペレータに聴かせることができるので、オペレータが単純作業によって作業への「士気」をなくすことを軽減することができるので、オペレータの作業がボトルネックになってシステム全体のスループットが低下することを抑制できる。
【図面の簡単な説明】
【００３０】
【図１】図１は、実施形態１に係る計量包装システム１０の概略構成図である。
【図２】図２は、実施形態１のデータ例であって、（Ａ）はオペレータテーブルを、（Ｂ）は生産管理テーブルを、（Ｃ）はＡ国用音楽テーブルを示す。
【図３】図３は、計量包装システム１０を構成する各装置のハードウェア構成図であって、（Ａ）は組合せ秤４０を、（Ｂ）は包装機５０を示す。
【図４】図４は、計量部４２及び包装部５２の概略構成図である。
【図５】図５は、計量包装システム１０を構成する各装置のハードウェア構成図であって、（Ａ）は封函機７０を、（Ｂ）はオートチェッカ８０を示す。
【図６】図６は、実施形態１に係る計量包装システム１０の動作を示すシーケンス図である。
【図７】図７は、音楽データ決定処理のフローチャートであって、（Ａ）は１回目の処理を、（Ｂ）は２回目以降の処理を示す。
【図８】図８は、実施形態２のデータ例であって、（Ａ）はオペレータテーブルを、（Ｂ）は生産速度パターンを示す。
【図９】図９は、実施形態２に係る計量包装システム１０の動作を示すシーケンス図である。
【発明を実施するための形態】
【００３１】
以下、図面を参照して本発明の実施形態を説明する。ただし、この明細書で説明する実施形態は本発明の一例に過ぎない。すなわち、本発明の要旨を変更しない範囲で、本実施形態を変更できることは言うまでもない。
【００３２】
［実施形態１］
図１は、実施形態１に係る計量包装システム１０の概略構成図である。計量包装システム１０は、例えば、被計量物の一例であるナッツを計量する計量工程、計量工程で計量したナッツを小袋に包装する包装工程、複数の前記小袋を箱に詰める箱詰め工程、小袋を詰めた箱に封をする封函工程、封をした箱の重量を検査する検査工程を含む生産システムである。ただし、被計量物はナッツに限定されず、ポップコーン、ポテトチップ、野菜や果物などの生鮮食料品でもよい。
【００３３】
図１に示される計量包装システム１０は、ベルトコンベア１１〜１６と、制御装置２０と、供給装置３０と、組合せ秤４０と、包装機５０と、ターンテーブル６０と、封函機７０と、オートチェッカ８０とを備える。なお、計量包装システム１０は、計量工程、包装工程、箱詰め工程、封函工程、検査工程のうち、一部の工程はシステムが備えるハードウェア（処理装置の一例）が自動で実行し、他の一部の工程はオペレータが手動で実行する半自動のシステムである。
【００３４】
制御装置２０は、計量包装システム１０全体の動作を制御する装置である。より詳細には、制御装置２０は、計量包装システム１０を構成する各装置の状態を監視し、当該各装置を適切なスループットで動作させる。制御装置２０は、図１に示されるように、制御部２１と、記憶部２２と、ユーザインタフェース２３と、通信部２４とを備える。制御装置２０は、例えば、ＰＣ（Ｐｅｒｓｏｎａｌ  Ｃｏｍｐｕｔｅｒの略）である。
【００３５】
制御部２１は、記憶部２２に記憶されたプログラムを読み出して実行するＣＰＵ（Ｃｅｎｔｒａｌ  Ｐｒｏｃｅｓｓｉｎｇ  Ｕｎｉｔの略）である。記憶部２２は、制御部２１が実行するプログラム、図２を参照して後述する各種テーブル、及び制御部２１がプログラムを実行する際の一時データを記憶するメモリである。ユーザインタフェース２３は、制御装置２０が提供するユーザインタフェースであって、例えば、キーボード、マウス、タッチパネルディスプレイなどである。通信部２４は、通信ネットワークを通じて他の装置と通信する通信インタフェースである。通信部２４の通信方式は特に限定されないが、例えば、有線ＬＡＮ（Ｌｏｃａｌ  Ａｒｅａ  Ｎｅｔｗｏｒｋの略）、無線ＬＡＮ、Ｂｌｕｅｔｏｏｔｈ（登録商標）などが挙げられる。
【００３６】
記憶部２２には、図２（Ａ）に示されるオペレータテーブルが記憶されている。オペレータテーブルは、計量包装システム１０に対する作業に従事するオペレータを管理するテーブルである。オペレータテーブルは、各々が１人のオペレータに対応する複数のオペレータレコードを含む。オペレータレコードには、オペレータを一意に識別するオペレータＩＤと、オペレータの年齢と、オペレータの国籍とが対応付けられている。オペレータの年齢及び国籍は、属性の一例である。
【００３７】
また、記憶部２２には、図２（Ｂ）に示される生産管理テーブルが記憶されている。生産管理テーブルは、計量包装システム１０の生産単位（例えば、１日）毎の生産計画を管理するテーブルである。生産管理テーブルは、各々が生産単位に対応する複数の生産管理レコードを含む。生産管理レコードには、生産日時と、生産数と、稼働時間と、作業に従事するオペレータのオペレータＩＤとが対応付けられている。
【００３８】
さらに、記憶部２２には、各々がオペレータの属性に対応付けられた複数の音楽テーブルが記憶されている。図２（Ｃ）には、国籍“Ａ国”及び平均年齢“２０代”に対応する音楽テーブル“A-20”と、国籍“Ａ国”及び平均年齢“３０代”に対応する音楽テーブル“A-30”と、国籍“Ａ国”及び平均年齢“４０代”に対応する音楽テーブル“A-40”とを示している。一方、図示は省略するが、国籍“Ｂ国”及び平均年齢“２０代”に対応する音楽テーブル“B-20”と、国籍“Ｂ国”及び平均年齢“３０代”に対応する音楽テーブル“B-30”と、国籍“Ｂ国”及び平均年齢“４０代”に対応する音楽テーブル“B-40”とをさらに記憶しているものとする。
【００３９】
音楽テーブルは、対応する属性のオペレータに聴かせるのに適した音楽データを含む。例えば、国籍“Ａ国”に対応する音楽テーブルは、Ａ国の伝統音楽、Ａ国のアーティストが演奏する音楽、Ａ国の言語で歌われている音楽データを含んでもよい。また、平均年齢“２０代”に対応する音楽テーブルにはポップス、平均年齢“３０代”に対応する音楽テーブルにはフォークソング、平均年齢“４０代”に対応する音楽テーブルには演歌の音楽データを含んでもよい。ただし、属性に対応する音楽データの具体例は、これらに限定されない。
【００４０】
また、音楽テーブルには、テンポの異なる複数の音楽データが記憶されている。図２（Ｃ）の音楽テーブルは、テンポが最も遅い音楽データＳ（Ｓｌｏｗ  ｔｅｍｐｏの略）と、テンポが中程度の音楽データＭ（Ｍｅｄｉｕｍ  ｔｅｍｐｏ）と、テンポが最も速い音楽データＵ（Ｕｐ  ｔｅｍｐｏの略）とを含む。音楽のテンポは、例えば、１分間に感じるビートの数を示すＢＰＭ（Ｂｅａｔ  Ｐｅｒ  Ｍｉｎｕｉｔｅｓ）で表わすことができる。すなわち、ＢＰＭが小さいほど落ち着いた音楽で、ＢＰＭが大きいほど軽快な音楽になる。例えば、音楽データＳはＢＰＭ＝６０程度、音楽データＭはＢＰＭ＝１００程度、音楽データＵはＢＰＭ＝１２０程度であってもよい。
【００４１】
図２に示される各テーブルは、計量包装システム１０が生産動作を開始する前に、記憶部２２に記憶されているものとする。各テーブルの設定値は、例えば、計量包装システム１０の管理者によって、制御装置２０のユーザインタフェース２３を通じて入力されてもよい。また、各テーブルは、計量包装システム１０を構成する各装置に分散して記憶されていてもよい。例えば、音楽テーブルは、スピーカ４５を備える組合せ秤４０の記憶部４３に記憶されていてもよい。
【００４２】
供給装置３０は、例えば、ナッツを油で揚げて、ベルトコンベア１１を通じて組合せ秤４０に供給する。供給装置３０の具体的な構成は、被計量物の種類毎に異なる。供給装置３０の構成は既に周知なので、本明細書では供給装置３０の詳細な説明は省略する。
【００４３】
組合せ秤４０は、ベルトコンベア１１を通じて供給装置３０から供給されたナッツを、重量が所定の範囲内に収まるように小分けして、包装機５０に供給する。組合せ秤４０は、計量工程を自動で実行する計量装置の一例である。組合せ秤４０は、図３（Ａ）に示されるように、制御部４１と、計量部４２と、記憶部４３と、通信部４４と、スピーカ４５とを備える。
【００４４】
制御部４１、記憶部４３、及び通信部４４の構成は、制御部２１、記憶部２２、及び通信部２４と共通するので、再度の説明は省略する。計量部４２は、計量工程を実行するハードウェアである。計量部４２の具体的な構成は、図４を参照して後述する。スピーカ４５は、制御部４１によって再生された音声や音楽を出力するハードウェアである。実施形態１に係るスピーカ４５は、図１に示されるように、ターンテーブル６０に向けて設置されている。
【００４５】
包装機５０は、組合せ秤４０から供給されたナッツを小袋に包装し、ナッツが詰まった小袋をベルトコンベア１２を通じてターンテーブル６０に供給する。包装機５０は、包装工程を自動で実行する包装装置の一例である。包装機５０は、図３（Ｂ）に示されるように、制御部５１と、包装部５２と、記憶部５３と、通信部５４とを備える。制御部５１、記憶部５３、及び通信部５４の構成は、制御部２１、記憶部２２、及び通信部２４と共通するので、再度の説明は省略する。包装部５２は、包装工程を実行するハードウェアである。包装部５２の具体的な構成は、図４を参照して後述する。
【００４６】
計量部４２は、図４に示されるように、分散フィーダ９１と、複数のリニアフィーダ９２と、複数の供給ホッパ９３と、複数の計量ホッパ９４と、センター基体９５と、複数の重量センサ９６と、集合シュート９７とを主に備える。なお、計量部４２の構成は既に周知なので、本発明に関連のある部分を中心に説明する。
【００４７】
分散フィーダ９１は、ベルトコンベア１１を通じて供給装置３０から供給されたナッツを、放射状に分散搬送する。リニアフィーダ９２は、分散フィーダ９１の周囲の複数個所に配置されている。リニアフィーダ９２は、分散フィーダ９１によって分散搬送されたナッツを、対応する供給ホッパ９３に搬送する。供給ホッパ９３は、複数のリニアフィーダ９２それぞれに対応付けて配置されている。供給ホッパ９３は、対応するリニアフィーダ９２から供給されたナッツを、対応する計量ホッパ９４に供給する。
【００４８】
計量ホッパ９４は、複数の供給ホッパ９３それぞれに対応付けて配置されている。計量ホッパ９４は、制御部４１に指示されたタイミングで、内部に収容されたナッツを集合シュート９７に排出する。重量センサ９６は、複数の計量ホッパ９４それぞれに対応付けてセンター基体９５に収納されている。重量センサ９６は、対応する計量ホッパ９４に収容されたナッツの重量を検出し、検出した重量を示す重量信号を制御部４１に出力する。重量センサ９６の具体例は特に限定されないが、例えば、ロードセルが挙げられる。
【００４９】
制御部４１は、不図示のモータによって分散フィーダ９１を振動させることによって、分散フィーダ９１上のナッツを複数のリニアフィーダ９２に分散搬送させる。また、制御部４１は、複数の重量センサ９６それぞれから取得した重量信号に基づいて、ナッツの重量が所定の範囲内に収まる計量ホッパ９４の組み合わせを決定する。そして、制御部４１は、決定した組合せの計量ホッパ９４から集合シュート９７にナッツを排出する。
【００５０】
包装部５２は、図４に示されるように、縦シール機９８と、横シール機９９とを備える。なお、包装部５２の構成は既に周知なので、本発明に関連のある部分を中心に説明する。縦シール機９８は、シート状の包材（フィルム）を、縦方向にシールして筒状に成形する。横シール機９９は、縦シール機９８によって筒状に成形された包材の下端及び上端を、横方向にシールして袋状に成形する。縦シール機９８及び横シール機９９によるシールの具体的な方法は特に限定されないが、例えば、溶着であってもよい。
【００５１】
制御部５１は、不図示の搬送装置によって搬送されたシート状の包材の側端を縦シール機９８にシールさせ、下端を横シール装置３５にシールさせる。これにより、シート状の包材を上端のみが開放された袋に成形することができる。次に、制御部５１は、集合シュート９７を通じて供給されたナッツが袋に収納されたことに応じて、袋の上端を横シール装置３５にシールされる。これにより、ナッツが収納された完全な小袋になる。そして、制御部５１は、ナッツが収納された小袋を、ベルトコンベア１２に排出する。
【００５２】
ターンテーブル６０は、ベルトコンベア１２を通じて包装機５０から供給された小袋が載置されるテーブルと、鉛直方向に延びる回転軸線周りにテーブルを回転させるモータとを備える。ターンテーブル６０の具体的な構成は既に周知なので、詳細な説明は省略する。ターンテーブル６０の周りでは、オペレータが作業をしている。オペレータは、ターンテーブル６０から所定の数（例えば、６個）の小袋を抽出し、抽出した小袋を１つの箱に詰め、小袋を詰めた箱をベルトコンベア１３に乗せる。これにより、小袋が箱詰めされた箱は、ベルトコンベア１３を通じて封函機７０に供給される。すなわち、ターンテーブル６０の周りのオペレータは、箱詰め工程を手動で実行する。
【００５３】
封函機７０は、ベルトコンベア１３を通じて供給された箱に封をし、封をした箱をベルトコンベア１４を通じてオートチェッカ８０に供給する。封函機７０は、封函工程を自動で実行する封函装置の一例である。封函機７０は、図５（Ａ）に示されるように、制御部７１と、センサ７２と、シール部７３と、記憶部７４と、通信部７５とを備える。
【００５４】
制御部７１、記憶部７４、及び通信部７５の構成は、制御部２１、記憶部２２、及び通信部２４と共通するので、再度の説明は省略する。センサ７２は、ベルトコンベア１４で搬送される箱が検出位置に到達したことを検出する。センサ７２の検出方法は特に限定されないが、例えば、発光部と受光部の間を通過した箱を検出する光学式でもよいし、センサに触れた箱を検出する機械式でもよい。シール部７３は、センサ７２によって検出された箱を封函するハードウェアである。封函の具体的な方法は特に限定さないが、例えば、粘着シールを貼付する方法を採用してもよい。
【００５５】
オートチェッカ８０は、ベルトコンベア１４を通じて封函機７０から供給された箱の重量を検査し、重量が閾値範囲内の箱をベルトコンベア１５に排出し、重量が閾値範囲外の箱をベルトコンベア１６に排出する。オートチェッカ８０は、検査工程を自動で実行する検査装置の一例である。オートチェッカ８０は、図５（Ｂ）に示されるように、制御部８１と、重量センサ８２と、振分部８３と、記憶部８４と、通信部８５とを備える。
【００５６】
制御部８１、記憶部８４、及び通信部８５の構成は、制御部２１、記憶部２２、及び通信部２４と共通するので、再度の説明は省略する。重量センサ８２は、ベルトコンベア１４を通過する箱の重量を計測するハードウェアである。重量センサ８２の具体例は特に限定されないが、例えば、ロードセルが挙げられる。振分部８３は、ベルトコンベア１４を通過する箱をベルトコンベア１５、１６の一方に振り分けるハードウェアである。振分部８３の具体的な構成は特に限定されないが、例えば、ベルトコンベア１４、１５及びベルトコンベア１４、１６のうち、一方を接続し、他方を遮断する構成であればよい。
【００５７】
［計量包装システム１０の動作］
次に、図６及び図７を参照して、実施形態１に係る計量包装システム１０の動作を説明する。なお、図６及び図７の処理の実行時刻は、2018/04/01とする。また、図６では、ベルトコンベア１１〜１６、供給装置３０、包装機５０、及びターンテーブル６０の図示を省略しているが、これらの動作についても説明する。
【００５８】
まず、制御装置２０は、図２（Ｂ）に示される生産管理テーブルに基づいて、計量包装システム１０の目標スループットを決定する（Ｓ１１）。例えば、制御装置２０の制御部２１は、生産日時に本日の日付“2018/04/01”が設定された生産管理レコードを、生産管理テーブルから読み出す。次に、制御部２１は、読み出した生産管理レコードの生産数“800袋”を稼働時間“8時間”で除して、目標スループット“100袋／時”を算出すればよい。Ｓ１１の処理を実行する制御部２１は、スループット決定手段の一例である。
【００５９】
次に、制御部２１は、計量包装システム１０を構成する各装置（ベルトコンベア１１〜１６、供給装置３０、組合せ秤４０、包装機５０、ターンテーブル６０、封函機７０、オートチェッカ８０）に、通信部２４を通じて動作開始信号を送信する（Ｓ１２）。動作開始信号は、Ｓ１１で決定した目標スループットを実現する速度で動作することを、各装置に指示するための信号である。Ｓ１２の処理を実行する制御部２１は、動作制御手段の一例である。
【００６０】
次に、組合せ秤４０の制御部４１は、通信部４４を通じて制御装置２０から動作開始信号を受信する（Ｓ１２）。そして、制御部４１は、動作開始信号で示される目標スループットを実現する速度で、計量部４２に計量動作を開始させる（Ｓ１３）。例えば、制御部４１は、分散フィーダ９１及びリニアフィーダ９２の振動速度、供給ホッパ９３への被計量物の供給及び排出速度、計量ホッパ９４への被計量物の供給及び排出速度、複数の計量ホッパ９４の組合せ判定速度などを、目標スループットに合わせて増減させればよい。
【００６１】
同様に、ベルトコンベア１１〜１６、供給装置３０、包装機５０、ターンテーブル６０、封函機７０、オートチェッカ８０は、制御装置２０から受信した動作開始信号に基づいて、生産動作を開始する（Ｓ１３）。動作開始信号の目標スループットに応じて、ベルトコンベア１１〜１６は搬送速度を変更し、供給装置３０はナッツの供給速度を変更し、包装機５０は包装速度を変更し、ターンテーブル６０はテーブルを回転させるモータの回転数を変更すればよい。
【００６２】
次に、制御装置２０の制御部２１は、音楽データ決定処理を実行する（Ｓ１４）。音楽データ決定処理は、音楽テーブルに登録された複数の音楽データのうちから、計量包装システム１０に対する作業（すなわち、箱詰め作業）に従事するオペレータに聴かせる音楽データを決定する処理である。図７（Ａ）を参照して、１回目の音楽データ決定処理の詳細を説明する。
【００６３】
まず、制御部２１は、記憶部２２に記憶されている音楽テーブルのうち、箱詰め作業中のオペレータの属性に対する音楽テーブルを決定する（Ｓ３１）。Ｓ１１で読み出した生産管理テーブルにはオペレータＩＤ“001”、“002”が含まれているので、オペレータ属性は、国籍“Ａ国”、平均年齢“２８歳（＝（２５＋３１）÷２）”となる。そこで、制御部２１は、図２（Ｃ）に示される音楽テーブル“A-20”に決定する。
【００６４】
次に、制御部２１は、Ｓ１１で決定した目標スループットと、予め定められた閾値Ａ、Ｂとを比較する（Ｓ３２、Ｓ３３）。なお、閾値Ａ＜閾値Ｂである。そして、制御部２１は、目標スループットが閾値Ａ未満であることに応じて（Ｓ３２：Ｙｅｓ）、最もテンポの遅い音楽データ“S-A-20”を、Ｓ３１で決定した音楽テーブル“A-20”から読み出す（Ｓ３４）。また、制御部２１は、目標スループットが閾値Ａ以上で且つ閾値Ｂ未満であることに応じて（Ｓ３２：Ｎｏ＆Ｓ３３：Ｙｅｓ）、テンポが中程度の音楽データ“M-A-20”を、Ｓ３１で決定した音楽テーブル“A-20”から読み出す（Ｓ３５）。さらに、制御部２１は、目標スループットが閾値Ｂ以上であることに応じて（Ｓ３３：Ｎｏ）、最もテンポが速い音楽データ“U-A-20”を、Ｓ３１で決定した音楽テーブル“A-20”から読み出す（Ｓ３６）。
【００６５】
図６に戻って、制御部２１は、Ｓ１４で決定した音楽データを、通信部２４を通じて組合せ秤４０に送信する（Ｓ１５）。一方、組合せ秤４０の制御部４１は、通信部４４を通じて制御装置２０から音楽データを受信したことに応じて、音楽データを再生してスピーカ４５から出力する（Ｓ１６）。Ｓ１６の処理を実行する制御部４１は、音楽再生手段の一例である。組合せ秤４０のスピーカ４５は、ターンテーブル６０に向けられているので、ターンテーブル６０の周りのオペレータは、スピーカ４５から出力される音楽を聴きながら箱詰め作業をすることができる。
【００６６】
組合せ秤４０の制御部４１は、計量動作を開始してからの経過時間と、集合シュート９７を通じて包装機５０にナッツを排出した回数である計量回数とをカウントして、記憶部４２に記憶させる。そして、制御部４１は、所定の時間が経過したことに応じて、実測スループットＡ（＝計量回数÷経過時間）を、通信部４４を通じて制御装置２０に送信する（Ｓ１７）。実測スループットＡは、箱詰め工程より上流の工程で実際に計測した計量包装システム１０の第１スループットの一例である。
【００６７】
また、封函機７０の制御部７１は、封函動作を開始してからの経過時間と、シール部７３で封函した箱の数である封函数とをカウントして、記憶部７４に記憶させる。そして、制御部７１は、所定の時間が経過したことに応じて、実測スループットＢ（＝封函数×１箱に詰められる小袋の数÷経過時間）を、通信部７５を通じて制御装置２０に送信する（Ｓ１８）。実測スループットＢは、箱詰め工程より下流の工程で実際に計測した計量包装システム１０の第２スループットの一例である。
【００６８】
さらに、オートチェッカ８０の制御部８１は、生産動作を開始してからの経過時間と、振分部８３がベルトコンベア１５に振り分けた箱の数である正常数と、振分部８３がベルトコンベア１６に振り分けた箱の数である異常数とをカウントして、記憶部８４に記憶させる。そして、制御部８１は、所定の時間が経過したことに応じて、エラー率（＝異常数÷（正常数＋異常数））を、通信部８５を通じて制御装置２０に送信する（Ｓ１９）。エラー率は、重量が閾値範囲外の箱の割合を示す。
【００６９】
制御装置２０の制御部２１は、音楽データを送信してから実測スループットＡ、Ｂ及びエラー率を受信するまで、以降の処理の実行を待機する。そして、制御部２１は、音楽データを送信してから所定の時間が経過したタイミングで、組合せ秤４０から実測スループットＡを、封函機７０から実測スループットＢを、オートチェッカ８０からエラー率を、通信部２４を通じて受信する。実測スループットＡを受信する制御部２１は第１取得手段の一例であり、実測スループットＢを受信する制御部２１は第２取得手段の一例であり、エラー率を受信する制御部２１は第３取得手段の一例である。
【００７０】
次に、制御部２１は、実測スループットＡ、Ｂ及びエラー率を通信部２４を通じて受信したことに応じて、計量包装システム１０が生産した小袋の数が、Ｓ１１で読み出した生産管理レコードの生産数に達したか否かを判断する（Ｓ２０）。生産した小袋の数は、例えば、実測スループットＢ×生産動作を開始してからの経過時間×（１−エラー率）で算出することができる。制御部２１は、生産した小袋の数が本日の生産数に到達していないと判断したことに応じて（Ｓ２０：Ｎｏ）、Ｓ１４以降の処理を再び実行する。２回目以降の音楽データ決定処理は、直前に取得した実測スループットＡ、Ｂ及びエラー率に基づいて、Ｓ３４〜Ｓ３６で読み出した音楽データのテンポを調整する処理である。図７（Ｂ）を参照して、２回目以降の音楽データ決定処理を説明する。
【００７１】
制御部２１は、直前に取得した実測スループットＡ、Ｂの差と、予め定められたスループット閾値とを比較する（Ｓ３７）。実測スループットＡ、Ｂの差がスループット閾値未満の場合とは、ターンテーブル６０の周りで箱詰め作業をするオペレータのスループットが、概ね目標スループットに達していることを示す。実測スループットＡ、Ｂの差がスループット閾値以上の場合とは、ターンテーブル６０の周りで箱詰め作業をするオペレータのスループットが、目標スループットに遠く及ばないことを示す。
【００７２】
そして、制御部２１は、実測スループットＡ、Ｂの差がスループット閾値以上だと判断したことに応じて（Ｓ３７：Ｙｅｓ）、組合せ秤４０に送信する音楽データのテンポに係数αを乗じる（Ｓ３８）。一方、制御部２１は、実測スループットＡ、Ｂの差がスループット閾値未満だと判断したことに応じて（Ｓ３７：Ｎｏ）、Ｓ３８の処理をスキップする。係数αは、予め定められた１より大きい実数である。また、係数αは、音楽データＳに乗じても音楽データＭ未満のテンポとなり、音楽データＭに乗じても音楽データＵ未満のテンポとなる値に調整されるのが望ましい。
【００７３】
次に、制御部２１は、直前に取得したエラー率と、予め定められたエラー閾値とを比較する（Ｓ３９）。エラー率がエラー閾値未満の場合とは、オペレータの箱詰め作業が正確に行われていることを示す。エラー率がエラー閾値以上の場合とは、オペレータの箱詰め作業に誤りが多いことを示す。
【００７４】
そして、制御部２１は、エラー率がエラー閾値以上だと判断したことに応じて（Ｓ３９：Ｙｅｓ）、組合せ秤４０に送信する音楽データのテンポに係数βを乗じる（Ｓ４０）。一方、制御部２１は、エラー率がエラー閾値未満だと判断したことに応じて（Ｓ３９：Ｎｏ）、Ｓ４０の処理をスキップする。係数βは、予め定められた１未満の実数である。また、係数βは、音楽データＵに乗じても音楽データＭ以上のテンポとなり、音楽データＭに乗じても音楽データＳ以上のテンポとなる値に調整されるのが望ましい。
【００７５】
再び図６に戻って、制御部２１は、実測スループットＡ、Ｂ及びエラー率に基づいてテンポを調整した音楽データを、通信部２４を通じて組合せ秤４０に送信する（Ｓ１５）。すなわち、組合せ秤４０で再生される音楽データのテンポは、生産動作を実行中の所定の時間間隔毎に、実測スループットＡ、Ｂ及びエラー率に基づいて調整される。具体的には、実測スループットＡ、Ｂの差が大きいほどテンポが速くなり、エラー率が高いほどテンポが遅くなる。
【００７６】
そして、制御部２１は、生産した小袋の数が本日の生産数に到達したと判断したことに応じて（Ｓ２０：Ｙｅｓ）、計量包装システム１０を構成する各装置に通信部２４を通じて動作終了信号を終了する（Ｓ２１）。動作終了信号は、生産動作の終了を指示するための信号である。計量包装システム１０を構成する各装置は、制御装置２０から動作終了信号を受信したことに応じて、生産動作を終了する（Ｓ２２）。
【００７７】
［実施形態１の作用効果］
実施形態１によれば、計量包装システム１０の目標スループットに対応する音楽を、箱詰め作業中のオペレータに聴かせることができる。これにより、オペレータが単純作業により作業への「士気」をなくすことを軽減することができるので、オペレータの作業がボトルネックになって計量包装システム１０全体のスループットが低下することを抑制できる。
【００７８】
また、実施形態１によれば、目標スループットに応じたテンポの音楽が選択されるので、再生される音楽のテンポに合わせて手を動かせば、適切なスループットを実現することができる。これにより、オペレータは、目標スループットを維持するプレッシャーを感じずに作業することができる。その結果、焦りによる作業ミスを減らす効果も期待できる。また、箱詰め作業中のオペレータの属性に合わせて音楽データを選択するので、オペレータにとって心地良く、癒やしとなる音楽を再生できるので、オペレータの士気が向上する。
【００７９】
また、実測スループットＡ、Ｂの差が大きいほど、箱詰め工程におけるオペレータのスループットが遅いと判断できる。そこで、オペレータのスループットが遅いほどテンポの速い音楽データを再生することによって、オペレータの士気を向上させて、自然にスループットを向上させることができる。さらに、エラー率が高いのは、箱詰め工程でオペレータが焦って作業ミスをしている可能性がある。そこで、エラー率が高いほどテンポの遅い音楽データを再生することによって、オペレータに落ち着いて作業をさせることができる。その結果、作業ミスが減少して計量包装システム１０全体のスループットが向上する。
【００８０】
［実施形態２］
次に、図８を参照して、実施形態２に係る計量包装システム１０について説明する。なお、実施形態１との共通点の詳しい説明は省略し、相違点を中心に説明する。まず、実施形態２に係る計量包装システム１０の構成は、図１及び図３〜図５と共通する。また、実施形態２に係る制御装置２０の記憶部２２には、図２（Ｂ）に示される生産管理テーブルと、図８（Ａ）に示されるオペレータテーブルと、図８（Ｂ）に示される複数の生産速度パターンとが記憶されている。
【００８１】
図８（Ａ）に示されるオペレータテーブルは、計量包装システム１０に対する作業（すなわち、箱詰め作業）に従事するオペレータに対応する複数のオペレータレコードを含む。オペレータレコードは、オペレータを一意に識別するオペレータＩＤと、オペレータが信じる宗教を示す宗教情報と、宗教上の儀式を報知する音声データと、儀式の開始時刻を示す時刻情報とを含む。
【００８２】
実施形態２に係る宗教情報には、イスラム教の信者であることを示す“ムスリム”及びイスラム教を信者でないことを示す“非ムスリム”の一方が設定される。オペレータが信じる宗教は、オペレータの属性の一例である。音声データは、ムスリムの礼拝に必要なコーランを朗読する音声を示す。礼拝は、計量包装システム１０に対する第１作業（すなわち、箱詰め作業）の中断を伴う第２作業の一例である。時刻情報は、ムスリムの礼拝の開始時刻を示す。各時間の礼拝は３０分（すなわち、１２時〜１２時半、１５時〜１５時半）とする。
【００８３】
図８（Ｂ）に示される生産速度パターンは、計量包装システム１０が実行する生産動作の時刻と生産速度との関係を示す。なお、図８（Ｂ）には３つの生産速度パターンを示しているが、生産速度パターンの数はこれに限定されない。また、生産速度パターンは、関数の形式で記憶されてもよいし、表形式で記憶されてもよい。
【００８４】
図８（Ｂ）の上段の生産速度パターンは、９時〜１７時までの生産速度が基準速度で一定している。この生産速度パターンは、例えば、同時に作業する２人のオペレータ全員が非ムスリムの場合に適用される。中段の生産速度パターンは、礼拝の時間の生産速度が基準速度より遅く、その他の時間帯の生産速度が基準速度より速い。この生産速度パターンは、例えば、同時に作業する２人のオペレータのうちの１人がムスリムの場合に適用される。下段の生産速度パターンは、礼拝の時間の生産速度が中段のパターンよりさらに遅く、その他の時間帯の生産速度が中段のパターンよりさらに速い。この生産速度パターンは、例えば、同時に作業する２人のオペレータ全員がムスリムの場合に適用される。
【００８５】
すなわち、コーランを朗読する音声データの再生中（＝礼拝中）において、ムスリムのオペレータは、箱詰め作業を中断する。そのため、礼拝中は箱詰め作業のスループットが低下する。そこで、ムスリムのオペレータの数が多いほど、音声データの再生時間中に、計量包装システム１０を構成する各装置のスループットを低下させる。一方、稼働時間中に生産数を達成するためには、礼拝中に低下させたスループットを補完する必要がある。そこで、ムスリムのオペレータの数が多いほど、音声データの再生時間外に、計量包装システム１０を構成する各装置のスループットを上昇させる。
【００８６】
［実施形態２の動作］
次に、図９を参照して、実施形態２に係る計量包装システム１０の動作について説明する。なお、図９では、ベルトコンベア１１〜１６、供給装置３０、包装機５０、ターンテーブル６０、封函機７０、及びオートチェッカ８０の図示を省略しているが、これらの動作についても説明する。
【００８７】
まず、制御装置２０の制御部２１は、図２（Ｂ）に示される生産管理テーブル、図８（Ａ）に示されるオペレータテーブル、及び図８（Ｂ）に示される生産速度パターンに基づいて、箱詰め作業に従事しているオペレータの属性に対応する音声データ、時刻情報、及び計量包装システム１０に指示する生産速度パターンを決定する（Ｓ５１）。Ｓ５１の処理を実行する制御部２１は、決定手段の一例である。
【００８８】
一例として、生産日時が“2018/04/01”の場合、箱詰め作業に従事するオペレータのオペレータＩＤは、“001”、“002”である。そして、オペレータ“001”、“002”の宗教情報は２人ともムスリムなので、制御部２１は、コーランを朗読する音声データ及び時刻情報“12:00”、“15:00”をオペレータテーブルから読み出す。さらに、制御部２１は、図８（Ｂ）の下段の生産速度パターンに決定する。
【００８９】
他の例として、生産日時が“2018/04/02”の場合、箱詰め作業に従事するオペレータのオペレータＩＤは、“001”、“003”である。そして、オペレータ“001”の宗教情報のみがムスリムなので、制御部２１は、コーランを朗読する音声データ及び時刻情報“12:00”、“15:00”をオペレータテーブルから読み出す。さらに、制御部２１は、図８（Ｂ）の中段の生産速度パターンに決定する。
【００９０】
次に、制御部２１は、計量包装システム１０を構成する各装置に、通信部２４を通じて動作開始信号を送信する（Ｓ５２）。動作開始信号は、Ｓ５１で決定した生産速度パターンの現在時刻“9:00”に対応する生産速度での生産動作を指示するための信号である。Ｓ５２の処理を実行する制御部２１は、動作制御手段の一例である。計量包装システム１０を構成する各装置は、制御装置２０から動作開始信号を受信したことに応じて、動作開始信号で示される生産速度に従って生産動作を開始する（Ｓ５３）。Ｓ５３の処理は図６のＳ１３と共通するので、詳しい説明は省略する。
【００９１】
次に、制御部２１は、計量包装システム１０が生産した小袋の数が本日の生産数に到達したか否か（Ｓ５４）、及びＳ５１で読み出した時刻情報で示される開始時刻が到来したか否か（Ｓ５５）を監視する。Ｓ５４では、生産速度パターンと経過時間の積で生産数をカウントしてもよいし、実施形態１と同様に実測スループットＢ及びエラー率を取得してもよい。
【００９２】
次に、制御部２１は、生産数に到達する前に開始時刻“12:00”が到来したと判断したことに応じて（Ｓ５４：Ｎｏ＆Ｓ５５：Ｙｅｓ）、計量包装システム１０を構成する各装置に通信部２４を通じて速度ＤＯＷＮ信号を送信すると共に、Ｓ５１で読み出した音声データを通信部２４を通じて組合せ秤４０に送信する（Ｓ５６）。速度ＤＯＷＮ信号は、生産速度パターンの現在時刻“12:00”に対応する生産速度に合わせて、スループットの低下を指示するための信号である。速度ＤＯＷＮ信号を送信する制御部２１は、動作制御手段の一例である。
【００９３】
計量包装システム１０を構成する各装置は、制御装置２０から速度ＤＯＷＮ信号を受信したことに応じて、速度ＤＯＷＮ信号に従って生産速度を低下させる（Ｓ５７）。また、組合せ秤４０の制御部４１は、通信部４４を通じて制御装置２０から音声データを受信したことに応じて、音声データを再生してスピーカ４５から出力する。音声データを再生する制御部４１は、音声再生手段の一例である。組合せ秤４０のスピーカ４５はターンテーブル６０に向けられているので、コーランの朗読が始まったことに気づいたムスリムのオペレータは、箱詰め作業を中断して礼拝を行う。一方、非ムスリムのオペレータは、引き続き箱詰め作業を継続する。
【００９４】
次に、制御部２１は、組合せ秤４０による音声データの再生（すなわち、礼拝）が終了するまで待機する（Ｓ５８：Ｎｏ）。そして、制御部２１は、音声データの再生が終了したと判断したことに応じて（Ｓ５８：Ｙｅｓ）、計量包装システム１０を構成する各装置に通信部２４を通じて速度ＵＰ信号を送信する（Ｓ５９）。速度ＵＰ信号は、生産速度パターンの現在時刻“12:30”に対応する生産速度に合わせて、スループットの上昇を指示するための信号である。Ｓ５９の処理を実行する制御部２１は、動作制御手段の一例である。計量包装システム１０を構成する各装置は、制御装置２０から速度ＵＰ信号を受信したことに応じて、速度ＵＰ信号に従って生産速度を上昇させる（Ｓ６０）。計量包装システム１０は、生産した小袋の数が本日の生産数に到達するまで（Ｓ５４：Ｎｏ）、Ｓ５５〜Ｓ６０の処理を繰り返し実行する。
【００９５】
そして、制御部２１は、生産した小袋の数が本日の生産数に到達したと判断したことに応じて（Ｓ５４：Ｙｅｓ）、計量包装システム１０を構成する各装置に通信部２４を通じて動作終了信号を終了する（Ｓ６１）。動作終了信号は、生産動作の終了を指示するための信号である。計量包装システム１０を構成する各装置は、制御装置２０から動作終了信号を受信したことに応じて、生産動作を終了する（Ｓ６２）。
【００９６】
［実施形態２の作用効果］
実施形態２では、礼拝の開始時刻に音声データが再生されるので、オペレータは、礼拝の開始時刻までの間、箱詰め作業に集中することができる。その結果、計量包装システム１０全体のスループットの低下を最小限に抑えることができる。特に、宗教を信じる者にとって、宗教上の儀式（例えば、礼拝）は、心の平穏を保つのに重要なものである。そこで、宗教上の儀式の開始時刻を報知することによって、開始時刻までは箱詰め作業に集中することができる。
【００９７】
また、箱詰め作業を中断して礼拝するオペレータの数が多いほど、オペレータの作業がボトルネックとなる。そこで、実施形態２によれば、音声データの再生時間中は各装置のスループットを低下させることによって、礼拝しないオペレータの負担が大きくなり過ぎるのを防ぐことができる。また、音声データの再生時間外のスループットを上昇させることによって、音声データの再生時間中に低下したスループットを補完することができる。その結果、計量包装システム１０の１日のスループットを維持することができる。
【００９８】
［その他の変形例］
計量包装システム１０の具体的な構成は、図１の例に限定されない。例えば、封函機７０或いはオートチェッカ８０が省略されてもよい。実施形態１、２に係る計量包装システム１０において、オペレータが手動で実行するのは、箱詰め工程に限定されない。例えば、組合せ秤４０に被計量物を供給する工程、組合せ秤４０で計量された被計量物を取り出す工程、被計量物を包装する包装工程、或いは箱に封をする封函工程を、オペレータに手動で実行させてもよい。
【００９９】
また、計量包装システム１０の各装置の役割分担は、上記の例に限定されない。例えば、供給装置３０、包装機５０、ターンテーブル６０、封函機７０、或いはオートチェッカ８０がスピーカを備えてもよい。また、実施形態１において、Ｓ１４、Ｓ１５、Ｓ２０、Ｓ２１の処理を、スピーカを備える装置が実行してもよい。さらに、実施形態２において、Ｓ５１、Ｓ５４〜Ｓ５６、Ｓ５８、Ｓ５９の処理をスピーカを備える装置が実行してもよい。
【０１００】
また、属性の具体例は、年齢、国籍、信仰する宗教などに限定されない。属性の他の例として、性別、出身地、勤続年数、休憩時間、勤務終了時刻、雇用形態（例えば、正社員、契約社員、アルバイト）等であってもよい。さらに、スピーカから出力されるのは、音楽やコーランの朗読に限定されない。政治スピーチ、企業の方針や目標（生産目標、売り上げ目標など）、連絡事項、注意事項、スローガン等であってもよい。
【符号の説明】
【０１０１】
１０・・・計量包装システム
１１，１２，１３，１４，１５，１６・・・ベルトコンベア
２０・・・制御装置
２１，４１，５１，７１，８１・・・制御部
２２，４３，５３，７４，８４・・・記憶部
２３・・・ユーザインタフェース
２４、４４，５４，７５，８５・・・通信部
３０・・・供給装置
４０・・・組合せ秤
４２・・・計量部
４５・・・スピーカ
５０・・・包装機
５２・・・包装部
６０・・・ターンテーブル
７０・・・封函機
７２・・・センサ
７３・・・シール部
８０・・・オートチェッカ
８２・・・重量センサ
８３・・・振分部
【図１】
2019184384.tif 000003
【図２】
2019184384.tif 000004
【図３】
2019184384.tif 000005
【図４】
2019184384.tif 000006
【図５】
2019184384.tif 000007
【図６】
2019184384.tif 000008
【図７】
2019184384.tif 000009
【図８】
2019184384.tif 000010
【図９】
2019184384.tif 000011